(57)【要約】【課題】インターレス方式の映像信号であっても高解像度、高表示品質で表示することができる映像表示装置を提供する。【解決手段】ＬＣＤ１の各サブ画素行Ｌは、Ｒ画素、Ｇ画素、Ｂ画素が順に繰り返す構造からなり、上下に隣り合うサブ画素行ではサブ画素の配列位置が列方向に半ピッチずれるように配置されており、各列では同じ色のサブ画素が行方向に並ぶ構造からなる。インターレス方式のＡｄｄモードでは、奇数行のＲ画素と偶数行のＧ画素およびＢ画素との組み合わせ、または、奇数行のＧ画素およびＢ画素と偶数行のＲ画素との組み合わせ、Ｅｖｅｎモードでは、偶数行のＧ画素およびＢ画素と奇数行のＲ画素との組み合わせ、または、偶数行のＲ画素と奇数行のＧ画素およびＢ画素との組み合わせにより、それぞれＲ画素、Ｇ画素、Ｂ画素が１つずつで組み合わさったΔ形状または逆Δ形状の表示画素を形成する。【選択図】図３
2007324667.tif 000002
【特許請求の範囲】
【請求項１】
インターレス方式のテレビジョン放送を受信して、映像信号と音声信号とに分離する受信手段と、
音声信号に基づきスピーカを駆動する音声処理手段と、
赤色サブ画素、緑色サブ画素、青色サブ画素が所定配列パターンで二次元配列され、それぞれ１つずつの赤色サブ画素、緑色サブ画素、青色サブ画素を組み合わせることで複数の表示画素が二次元配列されてなる表示手段と、
受信した映像を前記表示手段に与える表示制御手段と、
を備えたテレビジョン放送受信装置において、
前記表示手段を構成する列方向に並ぶ各サブ画素は、行方向に隣り合うサブ画素列の各サブ画素の配置位置に対して、半ピッチずれた位置に設定されており、
前記表示手段を構成する１表示画素は二行に亘り隣接するサブ画素を一組としてΔ形状または逆Δ形状で構成され、
行方向に並ぶそれぞれ二行のサブ画素の組からなる各表示画素は同じ形状および同じサブ画素の組み合わせパターンからなり、
前記表示制御手段は、インターレス方式の映像信号が入力されると、Ａｄｄモード時に、サブ画素の配列パターンの行方向における奇数行が前記表示画素の上段となるように、順次サブ画素の行方向に走査しながらドライブデータを与え、Ｅｖｅｎモード時に、前記サブ画素の配列パターンの行方向における偶数行が前記表示画素の上段となるように、順次サブ画素の行方向に走査しながらドライブデータを与え、
プログレッシブ方式の映像信号が入力されると、順次行方向に走査しながら、前記列方向に並ぶ表示画素群の各サブ画素にドライブデータを与える
ことを特徴とするテレビジョン放送受信装置。
【請求項２】
赤色サブ画素、緑色サブ画素、青色サブ画素が所定配列パターンで二次元配列され、それぞれ１つずつの赤色サブ画素、緑色サブ画素、青色サブ画素を組み合わせることで複数の表示画素が二次元配列されてなる表示手段と、
受信した映像を前記表示手段に与える表示制御手段と、
を備えた映像表示装置において、
前記表示手段を構成する１表示画素は二行に亘り隣接するサブ画素を一組としてΔ形状または逆Δ形状で構成され、
行方向に並ぶそれぞれ二行のサブ画素の組からなる各表示画素は同じ形状および同じサブ画素の組み合わせパターンからなり、
前記表示制御手段は、インターレス方式の映像信号が入力されると、
Ａｄｄモード時に、サブ画素の配列パターンの行方向における奇数行が前記表示画素の上段となるように、順次サブ画素の行方向に走査しながらドライブデータを与え、
Ｅｖｅｎモード時に、前記サブ画素の配列パターンの行方向における偶数行が前記表示画素の上段となるように、順次サブ画素の行方向に走査しながらドライブデータを与える、
ことを特徴とする映像表示装置。
【請求項３】
前記表示制御手段は、プログレッシブ方式の映像信号が入力されると、
順次行方向に走査しながら、前記列方向に並ぶ表示画素群の各サブ画素にドライブデータを与える請求項２に記載の映像表示装置。
【請求項４】
前記列方向に並ぶ各サブ画素は、行方向に隣り合うサブ画素列の各サブ画素の配置位置に対して、半ピッチずれた位置に設定されている請求項２または請求項３に記載の映像表示装置。
【請求項５】
請求項２〜請求項４のいずれかに記載の映像表示装置を備えるとともに、
インターレス方式のテレビジョン放送を受信して、映像信号と音声信号とに分離する受信手段と、
音声信号に基づきスピーカを駆動する音声処理手段と、
を備えたことを特徴とするテレビジョン放送受信装置。
【発明の詳細な説明】
【技術分野】
【０００１】
この発明は、映像信号を液晶ディスプレイ上に表示する映像表示装置、特にインターレス方式の映像信号を表示する映像表示装置と、該映像表示装置を備えたテレビジョン放送受信装置に関するものである。
【背景技術】
【０００２】
現在、アナログ放送等のテレビジョン放送では、インターレス方式が主として利用されている。一方で、液晶ディスプレイでは、これまでパソコン用の表示器等、静止画をメインとする用途で利用されてきたこと等により、プログレッシブ方式に準じたものが主流である。そして、このような液晶ディスプレイとしては、表示品質に関する各種の問題を解決するために、画素パターンを工夫したものが各種提案されている（特許文献１〜３参照。）。
【特許文献１】特開２００４−２５８３６５公報
【特許文献２】特開２００３−２１５６３６公報
【特許文献３】特開２００２−１５６６５４公報
【発明の開示】
【発明が解決しようとする課題】
【０００３】
特許文献１〜３に示すような従来の液晶ディスプレイでは、静止画やプログレッシブ方式の映像信号に対して表示品質を向上させる目的で、画素の配列パターンを特定パターンに設定している。
【０００４】
しかしながら、これら従来の液晶ディスプレイでは、インターレス方式の映像を表示する場合、インターレス方式の映像信号をプログレッシブ方式の映像信号に変換しなければならない。このような映像信号の方式変換を行った場合、どうしても映像品質が劣化してしまう。
【０００５】
したがって、本発明の目的は、プログレッシブ方式だけでなくインターレス方式の映像信号であっても高解像度、高表示品質で表示することができる映像表示装置および当該映像表示装置を備えたテレビジョン放送受信装置を提供することにある。
【課題を解決するための手段】
【０００６】
この発明は、赤色サブ画素、緑色サブ画素、青色サブ画素が所定配列パターンで二次元配列され、それぞれ１つずつの赤色サブ画素、緑色サブ画素、青色サブ画素を組み合わせることで複数の表示画素が二次元配列されてなる表示手段と、受信した映像を前記表示手段に与える表示制御手段と、を備えた映像表示装置において、表示手段を構成する１表示画素は二行に亘り隣接するサブ画素を一組としてΔ形状または逆Δ形状で構成され、行方向に並ぶそれぞれ二行のサブ画素の組からなる各表示画素は同じ形状および同じサブ画素の組み合わせパターンからなり、表示制御手段は、インターレス方式の映像信号が入力されると、Ａｄｄモード時に、サブ画素の配列パターンの行方向における奇数行が前記画素の上段となるように、順次サブ画素の行方向に走査しながらドライブデータを与え、Ｅｖｅｎモード時に、サブ画素の配列パターンの行方向における偶数行が画素の上段となるように、順次サブ画素の行方向に走査しながらドライブデータを与える、ことを特徴としている。
【０００７】
この構成では、赤色サブ画素、緑色サブ画素、青色サブ画素がΔ形状または逆Δ形状で隣接して１つの表示画素を形成する。そして、この表示画素が行方向および列方向に配列され、２次元に表示画素が広がる表示手段を構成する。ここで、行方向に並ぶ（隣り合う）表示画像が同じ構造であるので、これら表示画像に対して一行ずれた位置でサブ画像の組み合わせを構成しても、同様に赤色サブ画像、緑色サブ画像、青色サブ画像の組み合わせが形成される。すなわち、表示画素の行方向に表示画像の配列ピッチの半ピッチで表示画素が形成される。
【０００８】
表示制御手段は、このような半ピッチズレで表示画素が設定されることを利用して、インターレス方式の映像信号が入力されると、Ａｄｄモードとしてサブ画素の配列パターンの行方向における奇数行が表示画素の上段となるようにドライブデータを与え、Ｅｖｅｎモードとして、Ａｄｄモードでドライブする表示画素に対して半ピッチずれた、サブ画素の配列パターンの行方向における偶数行が表示画素の上段となるようにドライブデータを与える。
【０００９】
これにより、インターレス方式の映像信号をプログレッシブ方式に変換することなく、表示することができる。
【００１０】
また、この発明の映像表示装置の表示制御手段は、プログレッシブ方式の映像信号が入力されると、順次行方向に走査しながら、列方向に並ぶ表示画素群の各サブ画素にドライブデータを与えることを特徴としている。
【００１１】
この構成では、プログレッシブ方式の映像信号が入力されると、順次表示画素を行方向に走査しながらドライブデータが与えられるので、プログレッシブ方式の映像信号そのままを表示することができる。
【００１２】
また、この発明の映像表示装置の表示手段の列方向に並ぶ各サブ画素は、行方向に隣り合うサブ画素列の各サブ画素の配置位置に対して、半ピッチずれた位置に設定されていることを特徴としている。
【００１３】
この構成では、サブ画素が列方向に半ピッチずれた状態で行方向に隣り合うサブ画素が配置されることで、行方向に並ぶ表示画素が正確なΔ形状または逆Δ形状となる。これにより表示画面が全体として均質になる。
【００１４】
また、この発明は、前述の映像表示装置を備えるとともに、インターレス方式のテレビジョン放送を受信して、映像信号と音声信号とに分離する受信手段と、音声信号に基づきスピーカを駆動する音声処理手段と、を備えたことを特徴としている。
【００１５】
この構成では、インターレス方式のテレビジョン放送を受信すると、映像信号と音声信号とに分離され、音声信号は音声処理手段を介してスピーカから放音され、映像信号は、前述の表示制御手段にインターレス方式のままで表示手段に表示される。これにより、インターレス方式のテレビジョン放送であっても、高品質に表示することができる。
【発明の効果】
【００１６】
この発明によれば、インターレス方式の映像信号が入力されても、プログレッシブ方式に変換することなく表示することができるので、高表示品質で映像を表示することができる。さらに、プログレッシブ方式の映像信号が入力されても、ダイレクトに表示することができるので、高表示品質で映像を表示することができる。
【００１７】
また、この発明によれば、インターレス方式のテレビジョン放送を高表示品質で映像を表示することができる。
【発明を実施するための最良の形態】
【００１８】
本発明の実施形態に係る液晶テレビについて図を参照して説明する。
図１は本実施形態の液晶テレビ７の主要構成を示すブロック図である。
本発明のテレビジョン放送受信装置に相当する液晶テレビ７は、ＬＣＤ（液晶ディスプレイ）１、制御部２、チューナ３、映像処理部４、音声処理部５、スピーカ６を備える。また、液晶テレビ７は外部接続端子を備え、ＤＶＤプレイヤ８を接続することもできる。
【００１９】
制御部２は、液晶テレビ７の全体制御を行うとともに、図示しないリモコンから送信された制御コマンドを解読して、電源のオン／オフ制御、チャンネルの切りかえ制御、音量のアップ／ダウン制御等を実行する。
【００２０】
チューナ３は、図示しないアンテナで受信したインターレス方式のテレビジョン放送信号から、選択されたチャンネルの放送信号を抽出する。チューナ３は、選択チャンネルの放送信号を音声信号と映像信号とに分離して、音声信号を音声処理部５に出力し、映像信号を映像処理部４に出力する。
【００２１】
音声処理部５は入力された音声信号に基づいてスピーカ６から音声を放音する。
【００２２】
映像処理部４は、本発明の表示制御手段に相当し、入力されたインターレス方式の映像信号に基づいて、ＬＣＤ１に対するドライブデータを生成して、ＬＣＤ１に与える。また、映像処理部４は、ＤＶＤプレイヤ８からプログレッシブ方式の映像信号が入力されると、既知の方法を用いて、このプログレッシブ方式の映像信号に基づくドライブデータを生成して、ＬＣＤ１に与える。
【００２３】
ＬＣＤ１は、本発明の表示手段に相当し、いわゆるアクティブマトリックス方式のカラー液晶ディスプレイである。そして、本実施形態のＬＣＤ１の特徴として、図２、図３に示すような画素構成となるように赤色（Ｒ）、緑色（Ｇ）、青色（Ｂ）のサブ画素が形成されている。
【００２４】
図２は図１に示すＬＣＤ１のサブ画素１０の配列を示す平面図である。
ＬＣＤ１は、複数のサブ画素１０が列方向（表示画面の横方向）に一直線状に並んでなるサブ画素群（Ｌ１，Ｌ２，・・・）が行方向に配列されてなる。この列方向に並ぶサブ画素群をそれぞれ最上段から、第１サブ画素行Ｌ１、第２サブ画素行Ｌ２、・・・と称する。各サブ画素行Ｌは、それぞれ赤色サブ画素Ｒ（以下、Ｒ画素と称す）、緑色サブ画素Ｇ（同、Ｇ画素）、青色サブ画素（同、Ｂ画素）が順に並ぶ配列からなる。
【００２５】
隣り合うサブ画素行Ｌｎ，Ｌｎ＋１では、同じ色のサブ画素が隣り合わないように配置される。また、隣り合うサブ画素行のサブ画素１０同士は、列方向のサブ画素配列ピッチに対して半ピッチずれた状態で配置される。
【００２６】
前記サブ画素の列方向の配列順は、全ての奇数行で同じであるとともに、全ての偶数行で同じである。これらの構成により、各サブ画素列ｒｏｗは、行方向に対して同じ色のサブ画素１０で構成される。
【００２７】
具体的な例を図２で示すと、最上段となる第１サブ画素行Ｌ１は、左端（列の始め）にＲ画素が配置され、順に右方向（列番の進む方向）にＧ画素、Ｂ画素、Ｒ画素、Ｇ画素、Ｂ画素が繰り返し配置される。
【００２８】
上から二段目となる第２サブ画素行Ｌ２は、左端にＧ画素が配置され、順に右方向にＢ画素、Ｒ画素、Ｇ画素、Ｂ画素、Ｒ画素が繰り返し配置される。この際、左端のＧ画素は、最上段の左端のＲ画素よりも左側、すなわち、ＬＣＤ１の側面側へ、列方向に沿って半ピッチずれた位置に配置される。これにより、第１サブ画素行Ｌ１の各サブ画素と第２サブ画素行Ｌ２の各サブ画素とは、列方向に半ピッチずれた状態で配置される。
【００２９】
上から三段目となる第３サブ画素行Ｌ３は、列方向に対して第１サブ画素行Ｌ１と同じパターンで、Ｒ画素、Ｇ画素、Ｂ画素が繰り返し配置され、上から四段目となる第４サブ画素行Ｌ４は、列方向に対して第２サブ画素行Ｌ２と同じパターンで、Ｇ画素、Ｂ画素、Ｒ画素が繰り返し配置される。そして、行番号が進む毎に、第１サブ画素行Ｌ１の構成、第２サブ画素行Ｌ２の構成が順次繰り返されることにより、サブ画素が２次元配列される。
【００３０】
これにより、列方向に沿って見れば、各色のサブ画素が半ピッチずれた状態で配列される。具体的には、第１Ｇ画素列ｒｏｗＧ１、第１Ｒ画素列ｒｏｗＲ１、第１Ｂ画素列ｒｏｗＢ１、第２Ｇ画素列ｒｏｗＧ２、第２Ｒ画素列ｒｏｗＲ２、第１Ｂ画素列ｒｏｗＢ２、と各色のサブ画素が半ピッチずれた状態で順に列方向に並ぶ構造となる。
【００３１】
このような構造のＬＣＤ１に対して、映像処理部４は、入力されたインターレス方式の映像信号に基づいて、それぞれにΔ形状または逆Δ形状に隣接するＲ画素、Ｇ画素、Ｂ画素を組み合わせて表示画素を形成するようにドライブデータを与える。
【００３２】
図３（Ａ）は、インターレス方式のＡｄｄモード時の表示画素パターンを示す図であり、（Ｂ）はインターレス方式のＥｖｅｎモード時の表示画素パターンを示す図である。
【００３３】
図４はインターレス方式のＡｄｄモードドライブデータを示す図であり、図５はインターレス方式のＥｖｅｎモードドライブデータを示す図である。
【００３４】
映像処理部４は、インターレス方式の映像信号が入力されると、それぞれＡｄｄモードドライブデータおよびＥｖｅｎモードドライブデータを生成する。
【００３５】
そして、映像処理部４は、Ａｄｄモードによる動作時にＡｄｄモードドライブデータを与える。Ａｄｄモードドライブデータは、第１ラインデータＬＤｏｄ１、第３ラインデータＬＤｏｄ３、第５ラインデータＬＤｏｄ５、・・・を用いて、サブ画素行を順に走査していくデータである。具体例として、図４に示すように、第１ラインデータＬＤｏｄ１は、第１サブ画素行Ｌ１の各サブ画素を駆動するデータ列であり、第１Ｒ画素列ｒｏｗＲ１のＲ画素を駆動するデータ、第２Ｇ画素列ｒｏｗＧ２のＧ画素を駆動するデータ、第２Ｂ画素列ｒｏｗＢ２のＢ画素を駆動するデータ、・・・が順に並ぶデータ列である。また、第３ラインデータＬＤｏｄ３は、第２サブ画素行Ｌ２の各サブ画素を駆動するデータ列であり、第１Ｇ画素列ｒｏｗＧ１のＧ画素を駆動するデータ、第１Ｂ画素列ｒｏｗＢ１のＢ画素を駆動するデータ、第２Ｒ画素列ｒｏｗＲ２のＲ画素を駆動するデータ、・・・が順に並ぶデータ列である。
【００３６】
この際、図３（Ａ）に示すように、映像処理部４は、第１サブ画素行Ｌ１の第１Ｒ画素列ｒｏｗＲ１のＲ画素と、第２サブ画素行Ｌ２の第１Ｇ画素列ｒｏｗＧ１のＧ画素および第１Ｂ画素列ｒｏｗＢ１のＢ画素とで表示画素１１１ｏｄを形成するように、図４に示すような第１ラインデータＬＤｏｄ１および第３ラインデータＬＤｏｄ３を設定する。また、映像処理部４は、第１サブ画素行Ｌ１の第２Ｇ画素列ｒｏｗＧ２のＧ画素および第２Ｂ画素列ｒｏｗＢ２のＢ画素と、第２サブ画素行Ｌ２の第２Ｒ画素列ｒｏｗＲ２のＲ画素とで表示画素１１２ｏｄを形成するようにドライブデータを設定する。さらに他のサブ画素についても同様に、行方向に隣り合うＲ画素、Ｇ画素、Ｂ画素を一組とし、奇数行のＲ画素と偶数行のＧ画素およびＢ画素との組み合わせ、または、奇数行のＧ画素およびＢ画素と偶数行のＲ画素との組み合わせから、Δ形状または逆Δ形状からなる表示画素１αβｏｄ（αは行番号、βは列番号）を形成するように、図４に示すような第１ラインデータＬＤｏｄ１および第３ラインデータＬＤｏｄ３を設定する。
【００３７】
一方、映像処理部４は、Ｅｖｅｎモードによる動作時にＥｖｅｎモードドライブデータを与える。Ｅｖｅｎモードドライブデータは、第２ラインデータＬＤｅｖ２、第４ラインデータＬＤｅｖ４、第６ラインデータＬＤｅｖ６、・・・を用いて、サブ画素行を順に走査していくデータである。具体例として、図５に示すように、第２ラインデータＬＤｅｖ２は、第２サブ画素行Ｌ２の各サブ画素を駆動するデータ列であり、第１Ｇ画素列ｒｏｗＧ１のＧ画素を駆動するデータ、第１Ｂ画素列ｒｏｗＢ１のＢ画素を駆動するデータ、第２Ｒ画素列ｒｏｗＲ２のＲ画素を駆動するデータ、・・・が順に並ぶデータ列である。第４ラインデータＬＤｅｖ４は、第３サブ画素行Ｌ３の各サブ画素を駆動するデータ列であり、第１Ｒ画素列ｒｏｗＲ１のＲ画素を駆動するデータ、第２Ｇ画素列ｒｏｗＧ２のＧ画素を駆動するデータ、第２Ｂ画素列ｒｏｗＢ２のＢ画素を駆動するデータ、・・・が順に並ぶデータ列である。
【００３８】
この際、図３（Ｂ）に示すように、映像処理部４は、第２サブ画素行Ｌ２の第１Ｇ画素列ｒｏｗＧ１のＧ画素および第１Ｂ画素列ｒｏｗＢ１のＢ画素と第３サブ画素行Ｌ３の第１Ｒ画素列ｒｏｗＲ１のＲ画素とで表示画素１１１ｅｖを形成するように、図５に示すように第２ラインデータＬＤｅｖ２および第４ラインデータＬＤｅｖ４を設定する。また、映像処理部４は、第２サブ画素行Ｌ２の第２Ｒ画素列ｒｏｗＲ２のＲ画素と、第３サブ画素行Ｌ３の第２Ｇ画素列ｒｏｗＧ２のＧ画素および第２Ｂ画素列ｒｏｗＢ２のＢ画素とで表示画素１１２ｅｖを形成するように、図５に示すように第２ラインデータＬＤｅｖ２および第４ラインデータＬＤｅｖ４を設定する。さらに他のサブ画素についても同様に、行方向に隣り合うＲ画素、Ｇ画素、Ｂ画素を一組とし、偶数行のＧ画素およびＢ画素と奇数行のＲ画素との組み合わせ、または、偶数行のＲ画素と奇数行のＧ画素およびＢ画素との組み合わせから、Δ形状または逆Δ形状からなる表示画素１αβｅｖ（αは行番号、βは列番号）を形成するように図５に示すようなドライブデータを設定する。
【００３９】
このような構成および処理を行うことで、インターレス方式の映像信号を、従来のようにプログレッシブ方式に変換することなく表示することができる。また、表示画素単位で走査するのではなく、表示画素の半ピッチ毎にインターレス方式の奇数行（Ａｄｄ）、偶数行（Ｅｖｅｎ）が走査されるので、従来よりも高解像度でインターレス方式の映像信号を表示することができる。また、インターレス方式からプログレッシブ方式への変換を行わないので、表示品質を低下させることなく映像を表示することができる。
【００４０】
ところで、映像処理部４およびＬＣＤ１の処理系は従来と変わらないため、映像処理部４は、プログレッシブ方式の映像信号が、ＤＶＤプレイヤ８等から入力されれば、既知の方法で当該プログレッシブ方式の映像信号に基づくドライブデータを生成して、表示画素順に走査を行いながら、ＬＣＤ１に映像を表示されることができる。
【００４１】
なお、前述の説明では、液晶テレビを例に示したが、アクティブマトリックスに相当する表示器を用いて、インターレス方式の映像信号を表示する装置であれば、前述の構成および処理を適用することができる。
【図面の簡単な説明】
【００４２】
【図１】本実施形態の液晶テレビ７の主要構成を示すブロック図である。
【図２】図１に示すＬＣＤ１のサブ画素１０の配列を示す平面図である。
【図３】インターレス方式のＡｄｄモード時の表示画素パターンを示す図、および、インターレス方式のＥｖｅｎモード時の表示画素パターンを示す図である。
【図４】インターレス方式のＡｄｄモードドライブデータを示す図である。
【図５】インターレス方式のＥｖｅｎモードドライブデータを示す図である。
【符号の説明】
【００４３】
１−ＬＣＤ、１０−サブ画素、２−制御部、３−チューナ、４−映像処理部、５−音声処理部、６−スピーカ、７−液晶テレビ、８−ＤＶＤプレイヤ
【図１】
2007324667.tif 000003
【図２】
2007324667.tif 000004
【図３】
2007324667.tif 000005
【図４】
2007324667.tif 000006
【図５】
2007324667.tif 000007